(57)【要約】【課題】  自動車などの移動体でデジタル放送を受信し蓄積装置に記録し再生する場合において、記録時と同等の良好な再生が可能な蓄積装置内蔵デジタル放送受信装置を提供する。【解決手段】  同一伝送チャンネル内で２以上の階層サービスが存在するデジタル放送を受信・復調した後の階層サービスの全て又は一部のデータストリームを記録媒体１１に記録し、記録媒体１１に記録した記録データストリームを再生することが可能なデジタル放送受信装置において、データストリームのエラーの有無が判断できるエラー情報をデータストリームに付加して記録媒体１１へ記録する記録手段１０と、付加されたエラー情報のエラーの数が所定数以上又は未満であるに対応してより適切な階層サービスに切替えて記録データストリームを再生する再生手段１２とを具備する。【選択図】        図１
2005347915.tif 000002
【特許請求の範囲】
【請求項１】
同一伝送チャンネル内で２以上の階層サービスが存在するデジタル放送を受信・復調した後の階層サービスの全て又は一部のデータストリームを記録媒体に記録し、記録媒体に記録した記録データストリームを再生することが可能なデジタル放送受信装置において、
デジタル放送の受信・復調した後の階層サービスの全て又は一部のデータストリームのエラーの有無が判断できるエラー情報をデータストリームに付加して記録媒体へ記録する記録手段と、記録媒体の記録データストリームの再生時に、付加されたエラー情報のエラーの数が所定数以上又は未満であるに対応してより適切な階層サービスに切替えて記録データストリームを再生する再生手段とを具備することを特徴とするデジタル放送受信装置。
【請求項２】
上記再生手段は、記録媒体の記録データストリームの再生時に管理情報又は上記エラー情報に基づいてより適切な階層サービスに切替えるときに、より適切な階層サービスの選択ができない場合には、その旨を画面に表示する請求項１記載のデジタル放送受信装置。
【請求項３】
デジタル放送を受信・復調した後のデータストリームを記録媒体に記録し、記録媒体に記録した記録データストリームを再生することが可能なデジタル放送受信装置において、
デジタル放送の受信・復調した後の全て又は一部のデータストリームのエラーの有無が判断できるエラー情報をデータストリームに付加して記録媒体へ記録する記録手段と、記録媒体の記録データストリームの再生時に、付加されたエラー情報のエラーの数が所定数以上又は未満であるかに基づいて記録データストリームを再生する再生手段とを具備することを特徴とするデジタル放送受信装置。
【請求項４】
エラー情報のエラーの数が所定数以上又は未満であることを検出するエラーインジケータ情報検出処理手段を有し、受信・復調したデジタル放送のデータストリームのエラーの有無を表示する請求項１〜３のいずれか１項に記載のデジタル放送受信装置。
【請求項５】
同一伝送チャンネル内で２以上の階層サービスが存在するデジタル放送を受信・復調した後の階層サービスの全て又は一部のデータストリームを記録媒体に記録し、記録媒体に記録した記録データストリームを再生するデジタル放送受信方法であって、
デジタル放送の受信・復調した後の階層サービスの全て又は一部のデータストリームのエラーの有無が判断できるエラー情報をデータストリームに付加して記録媒体へ記録するステップと、記録媒体の記録データストリームの再生時に、付加されたエラー情報のエラーの数が所定値以上又は未満であるに対応してより適切な階層サービスに切替えて記録データストリームを再生するステップとを有することを特徴とするデジタル放送受信方法。
【請求項６】
デジタル放送を受信・復調した後のデータストリームを記録媒体に記録し、記録媒体に記録した記録データストリームを再生するデジタル放送受信方法であって、
デジタル放送の受信・復調した後の全て又は一部のデータストリームのエラーの有無が判断できるエラー情報をデータストリームに付加して記録媒体へ記録するステップと、記録媒体の記録データストリームの再生時に、付加されたエラー情報のエラーの数が所定値以上又は未満であるかに基づいて記録データストリームを再生するステップとを有することを特徴とするデジタル放送受信方法。
【発明の詳細な説明】
【技術分野】
【０００１】
本発明は、放送番組の録画が可能なデジタル放送受信装置及び方法に関し、特に自動車などの移動体で放送番組を記録することが可能となる移動体用記録装置内蔵デジタル放送受信装置に関する。
【背景技術】
【０００２】
近年、世界的にＴＶ放送のアナログ方式からデジタル方式への移行が推進されている。既に日本においても、デジタル方式によるＣＳ放送及び、ＢＳ放送が開始され、また、地上デジタル放送も一部の地域において開始された。地上デジタル放送の特徴は、伝送方式としてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式が用いられ、最大３階層までの階層伝送が可能であるなど、固定受信のみならず、移動・携帯受信の実現が可能なことである。階層伝送を利用することで、携帯受信向け放送（強階層）と固定受信向け放送（弱階層）の相互の同期が取れた放送が可能となる（例えば、非特許文献１参照）。このような階層伝送を利用した放送を受信する技術が開示されている（例えば、特許文献１参照）。
【０００３】
また、ハードディスクドライブ（ＨＤＤ）の低価格・大容量化を背景に、デジタル放送受信機にＨＤＤを内蔵してデジタル放送をＭＰＥＧ２−ＴＳ（Ｍｏｖｉｎｇ  Ｐｉｃｔｕｒｅ  Ｅｘｐｅｒｔｓ  Ｇｒｏｕｐ  Ｐｈａｓｅ  ２  −  Ｔｒａｎｓｐｏｒｔ  Ｓｔｒｅａｍ）形式のままで記録・再生する技術が開示されている（例えば、特許文献２参照）。
【特許文献１】特開２０００−１６５７６６号公報  （第５頁、第１図）
【特許文献２】特開２００３−９０８５号公報  （第１７頁、第１図）
【非特許文献１】ＡＲＩＢ−ＴＲ１４  １．５版  ：  地上デジタルテレビジョン放送運用規定  第七編  地上デジタルテレビジョン放送  送出運用規定  （平成１５年１０月１６日）
【発明の開示】
【発明が解決しようとする課題】
【０００４】
ところが、従来のＨＤＤを内蔵したデジタル放送受信機において以下の課題がある。つまり、ＨＤＤを内蔵したデジタル放送受信機においてデジタル放送を自動車などの移動体で受信しているとき、地上デジタル放送ではＯＦＤＭ方式、且つ周波数・時間インターリーブ技術が用いられるなど、移動体受信が考慮された方式・技術が採用されているものの、受信品質が劣化し受信ストリームにエラーが発生することがある。これは、移動体によるデジタル放送の受信では、フェージング、マルチパス、或いはＣ／Ｎ劣化などにより受信品質が大きく変動し、受信品質が大幅に劣化した場合には誤り訂正が不可能となり、その結果、受信ストリームにエラーが発生する。
【０００５】
このように、受信品質が大幅に劣化した状態において階層伝送を利用した放送を受信する場合、弱階層から強階層へ切替えることで良好な受信が可能である。この切替えるタイミングは、例えば、特許文献１において、電界強度、Ｃ／Ｎ値、或いはＢＥＲ（Ｂｉｔ  Ｅｒｒｏｒ  Ｒａｔｅ：誤り率）等、フロントエンド部における入力信号特性の時間的変動量を検出することにより、その入力信号の受信品質を判定し、最適な受信階層に切換えるようにしている。このようにすることで、自動車などの移動体で階層伝送されている地上デジタル放送を受信する場合において、良好な受信品質の映像・音声を再生・表示することが可能である。
【０００６】
しかしながら、上記従来の受信機において受信ストリームをＨＤＤに記録して再生する場合、例えば、弱階層と強階層のストリームを同時に記録し、このストリームを再生するには、記録時の受信品質が大幅に劣化した状態における階層を切替えるタイミングが不明なため、良好な再生・表示ができない。
【０００７】
これは、上記で説明したように従来の受信機では、フロントエンド部における入力信号特性の時間的変動量の検出結果を利用して階層の切替えるタイミングとしていた。つまり、フロントエンド部において入力信号の電界強度、Ｃ／Ｎ値、或いはＢＥＲ（誤り率）等を測定することで入力信号特性を検出していた。ところが、ＨＤＤに記録されるストリームは、フロントエンド部の出力であり、具体的にはＭＰＥＧ−ＴＳストリームである。このストリームを再生することにより、従来のように電界強度、Ｃ／Ｎ値、或いはＢＥＲ（誤り率）等を測定することができない。その結果、階層を切替えるタイミングが不明となり、良好な再生・表示ができない。
【０００８】
本発明は、このような状況に鑑みてなされたものであり、自動車などの移動体でデジタル放送を受信し蓄積装置に記録し再生する場合において、記録時と同等の良好な再生が可能な蓄積装置内蔵デジタル放送受信装置を提供することを目的とする。
【課題を解決するための手段】
【０００９】
本発明は、上記目的を達成するために案出されたデジタル放送受信装置で、同一伝送チャンネル内で２以上の階層サービスが存在するデジタル放送を受信・復調した後の階層サービスの全て又は一部のデータストリームを記録媒体に記録し、記録媒体に記録した記録データストリームを再生することが可能なデジタル放送受信装置において、デジタル放送の受信・復調した後の階層サービスの全て又は一部のデータストリームのエラーの有無が判断できるエラー情報をデータストリームに付加して記録媒体へ記録する記録手段と、記録媒体の記録データストリームの再生時に、付加されたエラー情報のエラーの数が所定数以上又は未満であるに対応してより適切な階層サービスに切替えて記録データストリームを再生する再生手段とを具備するようにした。
【００１０】
また、上記再生手段は、記録媒体の記録データストリームの再生時に管理情報又は上記エラー情報に基づいてより適切な階層サービスに切替えるときに、より適切な階層サービスの選択ができない場合には、その旨を画面に表示するようにした。
【００１１】
そして、本発明は、上記目的を達成するために案出されたデジタル放送受信装置で、デジタル放送を受信・復調した後のデータストリームを記録媒体に記録し、記録媒体に記録した記録データストリームを再生することが可能なデジタル放送受信装置において、デジタル放送の受信・復調した後の全て又は一部のデータストリームのエラーの有無が判断できるエラー情報をデータストリームに付加して記録媒体へ記録する記録手段と、記録媒体の記録データストリームの再生時に、付加されたエラー情報のエラーの数が所定数以上又は未満であるかに基づいて記録データストリームを再生する再生手段とを具備するようにした。
【００１２】
更に、本発明は、エラー情報のエラーの数が所定数以上又は未満であることを検出するエラーインジケータ情報検出処理手段を有し、受信・復調したデジタル放送のデータストリームのエラーの有無を表示するようにした。
【００１３】
また、本発明は、上記目的を達成するために案出されたデジタル放送受信方法で、同一伝送チャンネル内で２以上の階層サービスが存在するデジタル放送を受信・復調した後の階層サービスの全て又は一部のデータストリームを記録媒体に記録し、記録媒体に記録した記録データストリームを再生するデジタル放送受信方法であって、デジタル放送の受信・復調した後の階層サービスの全て又は一部のデータストリームのエラーの有無が判断できるエラー情報をデータストリームに付加して記録媒体へ記録するステップと、記録媒体の記録データストリームの再生時に、付加されたエラー情報のエラー情報が所定数以上又は未満であるに対応してより適切な階層サービスに切替えて記録データストリームを再生するステップとを有するようにした。
【００１４】
そして、本発明は、上記目的を達成するために案出されたデジタル放送受信方法で、デジタル放送を受信・復調した後のデータストリームを記録媒体に記録し、記録媒体に記録した記録データストリームを再生するデジタル放送受信方法であって、デジタル放送の受信・復調した後の全て又は一部のデータストリームのエラーの有無が判断できるエラー情報をデータストリームに付加して記録媒体へ記録するステップと、記録媒体の記録データストリームの再生時に、付加されたエラー情報のエラーの数が所定数以上又は未満であるかに基づいて記録データストリームを再生するステップとを有するようにした。
【発明の効果】
【００１５】
本発明によれば、自動車などの移動体でデジタル放送を受信し蓄積装置に記録し再生する場合において、記録時と同等の良好な再生が可能なデジタル放送受信装置及び方法を提供することができる。
【発明を実施するための最良の形態】
【００１６】
本発明を実施するための最良の形態を説明する。
以下、図面を参照して、本発明のデジタル放送受信装置及び方法の実施の形態を詳細に説明する。以下の説明において、”階層伝送”とは、同一伝送チャンネル内で２以上の映像及び／又は音声ＥＳが伝送されており、それぞれのＥＳは異なる伝送路符号・変調化を施し伝送されている場合をいう。
【００１７】
図１は、本発明の実施形態に係る記憶出力装置が適用されたデジタル放送受信装置の構成例を示すブロック図である。図１において、デジタル放送受信装置１は、チューナ２、伝送路復号部３、分離部（例えばデマルチプレクサ）４、リスト生成部８、書き込み部１０、記録媒体（例えばハードディスク又はメモリ又は光ディスク）１１、読み出し部１２、リスト解析部１３、選択指示部１４、制御部（例えばＣＰＵ）９及びシステムバス部１５、検出部２１を備える。
【００１８】
また、デジタル放送受信装置１は、復号部（例えばＭＰＥＧデコーダ）５及びユーザインタフェース部（例えば入力装置としてキーボード又はマウス又はリモコン、出力装置としてＣＲＴ又は液晶又はＰＤＰを利用した表示装置及びスピーカ装置）６も備える。
【００１９】
チューナ１は、図示しない放送局からのデジタル放送ソースから、衛星・地上・ケーブルなどの放送伝送網を介してデジタル放送信号を受信し、ユーザインタフェース部６のリモコンなどのユーザ操作部及び制御部９を介して指定されたチャンネルの周波数に選局及び検波処理を施した後、伝送路復号部３へ出力する。
【００２０】
伝送路復号部３は、チューナ１からの選局及び検波処理後の信号に対してデジタル復調及び誤り訂正処理を施した後のＭＰＥＧ２―ＴＳを、分離部４へ出力する。
【００２１】
デジタル放送は、情報伝達にＭＰＥＧシステムで規格化されているトランスポートストリームが用いられているが、トランスポートストリームは１８８バイト固定長のトランスポートパケットで構成されている。トランスポートパケットの構成は、最初の１バイトは同期バイトであり、次の１ビットがエラーインジケータ（誤り表示）を示している。これは、パケット中のエラーの有無を示すものであり、誤り訂正処理において訂正不可能なエラーが存在すると、伝送路復号部３においてエラーインジケータが”１”に設定される（エラーがない場合は”０”）。エラーインジケータ情報とは、上記エラーインジケータの情報のことである。伝送路復号部３から分離部４に出力されるＭＰＥＧ２―ＴＳは、誤り訂正処理を施した後のトランスポートパケットに訂正不可能なエラーが発生した場合には、そのトランスポートパケットのエラーインジケータ（誤り表示）情報を”１”に、エラーがない場合には”０”に必ず設定される。
【００２２】
分離部４は、ユーザインタフェース部６のリモコンなどのユーザ操作部及び制御部９を介して指定されたチャンネルの複数のトランスポートパケットを、入力されたＭＰＥＧ２―ＴＳから分離し、分離された複数のトランスポートパケットを書き込み部１０へ、また、ユーザインタフェース部６のリモコンなどのユーザ操作部及び制御部９を介して指定されたチャンネルの複数のトランスポートパケットから、映像と音声のＰＥＳ（Ｐａｃｋｅｔｉｚｅｄ  Ｅｌｅｍｅｎｔａｒｙ  Ｓｔｒｅａｍ）又はＥＳ（Ｅｌｅｍｅｎｔａｒｙ  Ｓｔｒｅａｍ）を抽出し、復号部５へ出力する。書き込み部１０へ出力される指定されたチャンネルの（分離された）複数のトランスポートパケットは、エラーが発生した場合に伝送路復号部３においてエラーインジケータ（誤り表示）情報を”１”に設定されたトランスポートパケットも必ず含む。
【００２３】
復号部５は、分離部４からの映像及び／又は音声のＰＥＳ又はＥＳのを復号し、復号された映像及び／又は音声はユーザインタフェース部６へ出力される。
【００２４】
ユーザインタフェース部６は、復号された映像及び／又は音声を出力装置である表示装置及び／又はスピーカ装置にて表示及び／又は再生する。
【００２５】
リスト生成部８は、後述する書き込み部１０からの情報を基に位置情報リストを作成し、書き込み部１０へ出力する。
【００２６】
書き込み部１０は、分離部４で分離されたトランスポートパケットを記録媒体１１に記録する処理を行うと共に、記録媒体１１におけるリストを作成するための情報をリスト生成部８へ出力する。また、書き込み部１０は、リスト生成部８で生成された位置情報リストを記録媒体１１に記録する。
【００２７】
位置情報リストとは、記録媒体１１のどの位置にどのような情報が記録されているかを示す情報である。また、リストを作成するための情報とは、例えば、書き込み部１０が映像データのトランスポートパケットを記録媒体１１に記録する場合、映像データの動画圧縮を行うためのグループ単位であるシーケンスヘッダ及び／又はＧＯＰ（Ｇｒｏｕｐ  ｏｆ  Ｐｉｃｔｕｒｅ）或いはＩ（Ｉｎｔｒａ）ピクチャの位置を、記録開始時の先頭に位置するシーケンスヘッダからのデータの転送バイト数で示した位置情報と、各ＧＯＰ及び／又はＩピクチャの記録時のＳＴＣ（Ｓｙｓｔｅｍ  Ｔｉｍｅ  Ｃｌｏｃｋ）カウント値を示した時間情報などの情報のことである。
【００２８】
図２は、位置情報リストの具体的な一例を示す。尚、位置情報リストの内容で、位置情報を転送バイト数の代わりに転送トランスポートパケット数で示すようにしてもよい。また、時間情報は、直前のシーケンスヘッダ或いはＧＯＰ及び／又はＩピクチャにおけるＳＴＣカウント数との差分値で示すようにしてもよい。位置情報リストにＰＩＤ（Ｐａｃｋｅｔ  Ｉｄｅｎｔｉｆｉｅｒ）情報を追加してもよい。これにより、例えば、記録媒体１１に複数の映像データが多重化されたトランスポートストリームを記録する場合であっても、そのそれぞれの映像データの記録媒体１１上の位置を管理することができるため、所望の映像データを識別できるため、効率よく特殊再生などの再生が可能となる。
【００２９】
読み出し部１２は、まず、位置情報リストを記録媒体１１から読み出し、リスト解析部１３へ出力する。
【００３０】
リスト解析部１３は、位置情報リストを基に、所望のトランスポートパケットの記録場所をサーチし、読み出し部１２に対して、所望のトランスポートパケットを記録媒体１１から次々に読込みさせ、読込んだトランスポートパケットを検出部２１へ出力するよう制御する。このように位置情報リスト用いて読み出す処理を行うことで、映像データの動画圧縮のグループ単位での検索が行えるため、効率よく特殊再生を行うことが可能となる。また、通常再生や特殊再生中にストリーム中の再生時間や残りの再生時間を算出可能となり、ユーザに対して現在の再生時間や再生番組の終了までの時間を知らせることが可能となる。
【００３１】
検出部２１は、読み出し部１２からのトランスポートパケットから、エラーインジケータ（誤り表示）情報が”１”に設定されているトランスポートパケットを検出し、その結果を選択指示部１４へ出力する。
【００３２】
選択指示部１４は、検出部２１からのエラー情報を基に、分離部４及び／又は復号部５を制御する。
【００３３】
制御部９は、デジタル放送受信装置１全体の動作を制御したり、ユーザインタフェース部６のリモコンなどを介してユーザから種々な命令信号を受け、その命令信号に基づいてシステムバス部１５を介して接続されたブロックを制御することで、種々の処理を実行したりする。
【００３４】
ここで、図３を用いて、階層伝送について説明する。図３は、放送方式として日本の地上デジタル放送方式ＩＳＤＢ−Ｔにおいて、階層数が２階層（固定受信向け階層＋携帯受信向け階層）の場合の伝送スペクトラムを示す。階層Ｂは１２セグメント、階層Ａは１セグメントに割り当てられており、例えば、階層Ｂは、変調方式６４ＱＡＭ（６４  Ｑｕａｄｒａｔｕｒｅ  Ａｍｐｌｉｔｕｄｅ  Ｍｏｄｕｌａｔｉｏｎ）、内符号の符号化率３／４が用いられており、所要Ｃ／Ｎ値は高いが伝送容量も大きくなり受信品質良好時に受信可能である。一方、階層Ａは、変調方式ＱＰＳＫ（Ｑｕａｔｅｒｎａｒｙ  Ｐｈａｓｅ  Ｓｈｉｆｔ  Ｋｅｙｉｎｇ）、内符号の符号化率１／２が用いられており、所要Ｃ／Ｎ値は低いが伝送容量も小さくなり受信品質良好時は当然ながら、受信品質が劣化時にも受信可能である。
【００３５】
次に、検出部２１の行うエラーインジケータ情報検出処理について、図４のフローチャートを用いて説明する。尚、本フローチャートでは、説明を簡単にするために、強階層と弱階層の総階層数２で階層伝送された番組が記録媒体１１に記録されているものとする。そして、本処理が開始される前に、リスト解析部１３は、読み出し部１２から記録媒体１１に記録されている位置情報リストを取得し、このリストを基に番組の再生が開始されている。
【００３６】
番組の再生が開始されると、記録媒体１１に記録されている所望の番組の複数のトランスポートパケットが読み出し部１２から分離部４に出力される。分離部４と制御部９は、ＰＳＩ（Ｐｒｏｇｒａｍ  Ｓｐｅｃｉｆｉｃ  Ｉｎｆｏｒｍａｔｉｏｎ）情報の中のＰＡＴ（Ｐｒｏｇｒａｍ  Ａｓｓｏｃｉａｔｉｏｎ  Ｔａｂｌｅ）及び／又はＰＭＴ（Ｐｒｏｇｒａｍ  Ｍａｐ  Ｔａｂｌｅ）を解析し、総階層数情報（＝２）を取得する（ステップＳ２８）。その後、検出部２１は、強階層に相当するトランスポートパケットのエラーインジケータ情報を検出し、単位時間あたりのエラーパケット数を監視することで、強階層にエラーがあるか否かを判断する（ステップＳ２９）。強階層にエラーがない場合は、弱階層に相当するトランスポートパケットのエラーインジケータ情報を検出し、単位時間あたりのエラーパケット数を監視する（ステップＳ３１）。単位時間あたりｎパケット（ｎは整数）未満の場合には、現在の再生している階層が何かにより階層切替えが必要か否かを判断する（ステップＳ３２）。具体的には、現在再生している階層が弱階層であれば、階層切替えは不要であり、また、現在再生している階層が強階層であれば、階層切替えは必要である。階層を切替える必要がある場合には、選択指示部１４は、分離部４及び／又は復号部５及び／又はインタフェース部６を制御し階層の選択・再生・表示を行う（ステップＳ３４）。一方、階層を切替える必要がない場合には、ステップＳ３４をパスする。
【００３７】
一方、単位時間あたりｎパケット以上の場合には、現在の再生している階層が何かにより階層切替えが必要か否かを判断する（ステップＳ３３）。具体的には、現在再生している階層が強階層であれば、階層切替えは不要であり、また、現在再生している階層が弱階層であれば、階層切替えは必要である。階層を切替える必要がある場合には、選択指示部１４は、分離部４及び／又は復号部５及び／又はインタフェース部６を制御し階層の選択・再生・表示を行う（ステップＳ３５）。一方、階層を切替える必要がない場合には、ステップＳ３５をパスする。
【００３８】
一方、強階層にエラーがある場合は、全ての階層において再生が不可能であるので、インタフェース部６の表示部に記録時に受信不具合があったことをユーザに知らせるための表示を行う（ステップＳ３０）。
【００３９】
以上の処理は、番組の再生が停止されるまで実施され、停止された場合には処理を終了する（ステップＳ３６）。
【００４０】
上記ステップＳ３０におけるインタフェース部６の表示部に記録時に受信不具合があったことをユーザに知らせるための表示は、例えば、図５に示すような表示である。図５において、インタフェース部６の表示部３０、ＯＳＤ表示によるメッセージ３１である。このように表示することで、ユーザに対して不快感を与えずにすむ。
【００４１】
以上の説明において、分離部４から書き込み部１０へ出力される分離された複数のトランスポートパケットは、本装置が階層伝送されているデジタル放送を受信している場合には、階層サービスの全て又は一部のトランスポートパケットである。
【００４２】
尚、記録媒体１１に記録されるトランスポートパケットは、チューナ１、伝送路復号部３、分離部４によって分離されたものに限らず、図示しないＩＥＥＥ１３９４インタフェース、無線ＬＡＮ、インターネット等を介して外部機器から入力されたトランスポートパケットであってもよい。この場合も、受信時のエラーインジケータ情報を設定することで同様の動作が可能となる。
【００４３】
以上、実施例について説明したが、図４のフローチャートの説明において、最強階層にエラーがある場合に全ての階層において再生が不可能であると説明したが、多少の映像・音声の乱れを許容するのであれば、最強階層を再生することは問題ない。この場合、インタフェース部６の表示部に記録時に受信不具合があったこと、再生映像・音声が乱れることをユーザに知らせたほうがよい。例えば、図６に示すような表示である。図６において、インタフェース部６の表示部３２、ＯＳＤ表示によるメッセージ３３である。このように表示することで、再生中に、映像・音声が乱れてもユーザに対する不快感を軽減できる。
【００４４】
また、分離部４と書き込み部１０の間にエラーインジケータ情報検出処理部を設けて、記録媒体１１への記録時に強階層及び／又は弱階層にエラーが発生した場合に、記録後、ユーザにそのことを知らせることが可能である。一般的に、記録媒体に記録されている番組内容を示す、記録番組リストに類する表示は公知である。つまり、その記録番組リストには、記録媒体に記録されている番組の詳細内容が記載されており、その内容は、記録日時、記録開始時間、番組の長さ、チャンネル、記録モード、そして番組名である。これらの情報に関連付けて記録されている番組のエラー情報を表示させた、具体的な例が図７である。図７において、インタフェース部６の表示部３４、ＯＳＤ表示による記録番組リスト３５であり、エラーなし＝「  」、弱階層のみエラーあり＝「×」、強・弱階層共にエラーあり＝「××」で左の列に表示されている。例えば、「１２／１２（日）  ＰＭ３：３０  ２ｈ３０ｍ  ０１１  ＴＳ  大相撲冬場所」の番組は、強階層と弱階層共にエラーが発生したことを意味する。また、「１２／１０（金）  ＡＭ６：３０  １ｈ００ｍ  ０６１  ＴＳ  ニュース」の番組は、弱階層にエラーが発生したことを意味する。このように表示することで、ユーザに対し、記録した番組を再生する前に、記録時のエラーの有無（つまり、受信品質）を知らせることができるため、再生中に、映像・音声が乱れてもユーザに対する不快感を軽減できる。
【００４５】
尚、以上、実施例の発明において、日本のＩＳＤＢ−Ｔ規格の階層伝送方式を例に説明を行ったが、日本のＩＳＤＢ−Ｓ、欧州のＤＶＢ−Ｈ或いは米国、中国、その他の国の階層伝送可能なデジタル放送規格全てに、本発明の技術は対応可能である。
【００４６】
以上、本発明の実施形態及び変形例を説明したが、これらは本発明の説明のための例示であって、本発明の範囲をこの実施形態及び変形例にのみ限定する趣旨ではない。本発明は、他の種々のデジタル放送受信装置でも実施することが可能である。
【図面の簡単な説明】
【００４７】
【図１】蓄積装置内蔵デジタル放送受信装置の構成を示すブロック図。
【図２】位置情報リストの内容の具体例を示す図。
【図３】階層伝送について説明する図。
【図４】検出部の行うエラーインジケータ情報検出処理を示すフローチャートの説明図。
【図５】強階層にエラーがあるときの具体的なＯＳＤ表示画面を示す図。
【図６】強階層にエラーがあるときの具体的なＯＳＤ表示画面を示す図。
【図７】記録番組リストにエラー情報を付加したときの具体的なＯＳＤ表示画面を示す図。
【符号の説明】
【００４８】
１  デジタル放送受信装置
２  チューナ
３  伝送路復号部
４  分離部
５  復号部
６  ユーザインタフェース部
８  リスト生成部
９  制御部
１０  書き込み部
１１  記録媒体
１２  読み出し部
１３  リスト解析部
１４  選択指示部
１５  システムバス部
２１  検出部
３０、３２，３４  表示部
３１、３３  ＯＳＤ表示によるメッセージ
３５  ＯＳＤ表示による記録番組リスト
【図１】
2005347915.tif 000003
【図２】
2005347915.tif 000004
【図３】
2005347915.tif 000005
【図４】
2005347915.tif 000006
【図５】
2005347915.tif 000007
【図６】
2005347915.tif 000008
【図７】
2005347915.tif 000009